(57)【特許請求の範囲】
【請求項１】
対視覚鳥類忌避剤水分散液が充填されたマイクロカプセル、揮発性対嗅覚鳥類忌避剤が充填されたマイクロカプセル、及び対視覚鳥類忌避剤粉末のうち少なくとも前記対視覚鳥類忌避剤水分散液が充填されたマイクロカプセルを水性の樹脂ビヒクルに配合させた鳥類忌避塗料。
【請求項２】
前記対視覚鳥類忌避剤水分散液中の対視覚鳥類忌避剤または前記対視覚鳥類忌避剤粉末を構成する対視覚鳥類忌避剤は、蛍光増白剤、蛍光蛋白質、及びオニヒトデ粉末の水抽出物からなる群から選ばれる少なくとも一種である
請求項１に記載の鳥類忌避塗料。
【請求項３】
前記揮発性対嗅覚鳥類忌避剤は、含硫黄テルペノイド、含硫黄・含酸素ヘテロ環化合物、ルバフラン、シンナミルニトリル、及びベルトアセタールからなる群から選ばれる少なくとも一種である
請求項１または２に記載の鳥類忌避塗料。
【請求項４】
前記鳥類忌避塗料には、「前記対視覚鳥類忌避剤水分散液が充填されたマイクロカプセル」、「前記揮発性対嗅覚鳥類忌避剤が充填されたマイクロカプセル」、及び「前記対視覚鳥類忌避剤粉末」のうち少なくとも「前記対視覚鳥類忌避剤水分散液が充填されたマイクロカプセル」が含まれており、
「不揮発分の質量」に対する「対視覚鳥類忌避剤水分散液中の対視覚鳥類忌避剤」と「前記対視覚鳥類忌避剤粉末を構成する対視覚鳥類忌避剤」と「前記揮発性対嗅覚鳥類忌避剤」との合計質量の割合は、０．１質量％以上２０質量％以下の範囲内である
請求項１から３のいずれか１項に記載の鳥類忌避塗料。
【請求項５】
前記水性の樹脂ビヒクルに、鳥類を除く小動物の侵入を防ぐ小動物忌避剤がさらに配合される
請求項１から４のいずれか１項に記載の鳥類忌避塗料。
【請求項６】
前記鳥類忌避塗料には、「前記対視覚鳥類忌避剤水分散液が充填されたマイクロカプセル」、「前記揮発性対嗅覚鳥類忌避剤が充填されたマイクロカプセル」、及び「前記対視覚鳥類忌避剤粉末」のうち少なくとも「前記対視覚鳥類忌避剤水分散液が充填されたマイクロカプセル」並びに「前記小動物忌避剤」が含まれており、
「不揮発分の質量」に対する「前記対視覚鳥類忌避剤水分散液中の対視覚鳥類忌避剤」と「前記対視覚鳥類忌避剤粉末を構成する対視覚鳥類忌避剤」と「前記揮発性対嗅覚鳥類忌避剤」と「前記小動物忌避剤」との合計質量の割合は、０．１質量％以上２０質量％以下の範囲内である
請求項５に記載の鳥類忌避塗料。
【請求項７】
前記水性の樹脂ビヒクルにコロイダルシリカを配合する
請求項１から６のいずれか１項に記載の鳥類忌避塗料。
【発明の詳細な説明】
【技術分野】
【０００１】
本発明は、鳥類忌避塗料に関する。
【背景技術】
【０００２】
鳥類による被害は日常の生活圏に限らず、工場、駅舎、空港などおよそ人間に係わる環境すべてにおいて報告されている。最近は糞害などに加え、ウイルスの伝搬源としても対応が急がれている。空港ではバードストライクといわれる飛行機エンジンへの鳥類の侵入による災害も世界中で報告されており従来からその対策が検討されている。
【０００３】
このような対策としては、例えば、設備、磁石、及びネット、又は塗料まで多岐にわたる。しかし、コスト、鳥の種類、環境問題（毒性、臭気、騒音等）、設置箇所、効果の持続性などから十分なものが開発されていないのが現状である。
【０００４】
ところで、鳥類の忌避剤としては、例えば、特開２００２−１７３４０１号公報に記載の忌避剤ルバフラン、及びシンナミルニトリル、又はベルトアセタールや、特開平０９−３０１８０３号公報に記載の含硫黄テルペン化合物及び含硫黄・含酸素ヘテロ環化合物が挙げられるが、これらは揮発性があるため効果の持続性に劣り現実での使用には問題がある。
【先行技術文献】
【特許文献】
【０００５】
【特許文献１】特開２００２−１７３４０１号公報
【特許文献２】特開平０９−３０１８０３号公報
【発明の概要】
【発明が解決しようとする課題】
【０００６】
鳩やカラスなどによる鳥害に対して塗料で解決する方法は、下記の（１）〜（３）の弊害を有しない優位性があるため従来より提案されている。ただし、忌避塗料としての先行技術、例えば、カプサイシンやラノリン酸エステルが配合されたものは、鳥類が塗膜を食餌した場合には効果があるものの鳥類の飛来防止には効果がない。
（１）音によるものは設置場所により不可能な場合がある。
（２）ネット、各種の糸、ピンなどは設置場所が限られ、短期でのメンテナンスが必要である。
（３）粘着剤系は環境汚染、短い粘着効果などのため一過性のものと云える。
【０００７】
また、その他農薬などの毒性のあるものの塗料化も考案されているが人間社会への影響を考えると使用しがたい。
【０００８】
本発明の課題は、施工作業性に優れると共に安全性が高くて環境に優しく、さらには、少なくともカラスに対する忌避効果を長期に亘って持続させることができる鳥類忌避塗料を提供することである。
【課題を解決するための手段】
【０００９】
本発明の一局面に係る鳥類忌避塗料では、「対視覚鳥類忌避剤水分散液が充填されたマイクロカプセル」、「揮発性対嗅覚鳥類忌避剤が充填されたマイクロカプセル」、及び「対視覚鳥類忌避剤粉末」のうち少なくとも「対視覚鳥類忌避剤水分散液が充填されたマイクロカプセル」が水性の樹脂ビヒクルに配合されている。
【００１０】
なお、上述の鳥類忌避塗料において、対視覚鳥類忌避剤水分散液中の対視覚鳥類忌避剤または対視覚鳥類忌避剤粉末を構成する対視覚鳥類忌避剤は、蛍光増白剤、蛍光蛋白質、及びオニヒトデ粉末の水抽出物からなる群から選ばれる少なくとも一種であることが好ましい。
【００１１】
また、上述の鳥類忌避塗料において、揮発性対嗅覚鳥類忌避剤は、含硫黄テルペノイド、含硫黄・含酸素ヘテロ環化合物、ルバフラン、シンナミルニトリル、及びベルトアセタールからなる群から選ばれる少なくとも一種であることが好ましい。
【００１２】
また、上述の鳥類忌避塗料において、鳥類忌避塗料には、「対視覚鳥類忌避剤水分散液が充填されたマイクロカプセル」、「揮発性対嗅覚鳥類忌避剤が充填されたマイクロカプセル」、及び「対視覚鳥類忌避剤粉末」のうち少なくとも「対視覚鳥類忌避剤水分散液が充填されたマイクロカプセル」が含まれている。そして、「不揮発分の質量」に対する「対視覚鳥類忌避剤水分散液中の対視覚鳥類忌避剤」と「対視覚鳥類忌避剤粉末を構成する対視覚鳥類忌避剤」と「揮発性対嗅覚鳥類忌避剤」との合計質量の割合は、０．１質量％以上２０質量％以下の範囲内であることが好ましい。
【００１３】
また、上述の鳥類忌避塗料において、水性の樹脂ビヒクルに、小動物を狙う猛禽類対策として小動物の侵入を防ぐ小動物忌避剤をさらに配合させることが好ましい。なお、本願明細書において小動物には鳥類は含まれない。猛禽類は臭覚や味覚に忌避効果が低いため、猛禽類に対しては直接の忌避効果はないが猛禽類が狙う小動物の侵入を忌避剤で防ぐことにより猛禽類の飛来を防止することができるからである。また、この際、「不揮発分の質量」に対する「対視覚鳥類忌避剤水分散液中の対視覚鳥類忌避剤」と「対視覚鳥類忌避剤粉末を構成する対視覚鳥類忌避剤」と「揮発性対嗅覚鳥類忌避剤」と「小動物忌避剤」との合計質量の割合は、０．１質量％以上２０質量％以下の範囲内であることが好ましい。
【００１４】
また、上述の鳥類忌避塗料において、水性の樹脂ビヒクルに、コロイダルシリカをさらに配合させることが好ましい。
【発明の効果】
【００１５】
本発明においては対視覚鳥類忌避剤水分散液をマイクロカプセルに充填し、それを水性の樹脂ビヒクルに配合させることにより、少なくともカラスに対する持続的な忌避塗料としての効果が発揮される。そして、上述の樹脂ビヒクルにコロイダルシリカを配合することによりその効果をさらに向上させることができる。そして、その鳥類忌避塗料は水性系であるため施工作業性に優れ、環境に優しい安全性の高いものである。このため、この鳥類忌避塗料は、マンションなどの建造物、駅舎など多様な場所に使用することができる。なお、この鳥類忌避塗料は、塗装下地たとえば鉄部、アスファルト部、古い塗膜などへの塗工に際し、それぞれの専用の下塗り剤で対応することができる。
【図面の簡単な説明】
【００１６】
【図１】蛍光増白剤水分散液が封入されたマイクロカプセルの模式図である。
【図２】含硫黄テルペノイドが封入されたマイクロカプセルの模式図である。
【図３】オニヒトデ水抽出物が封入されたマイクロカプセルの模式図である。
【図４】塗料の組成の一例を示す模式図である。
【図５】本発明の鳥類忌避塗料が鉄部に塗装された場合の模式図である。
【図６】鳥類忌避塗料の製造工程を示すフローチャートである。
【図７】カラスに対する忌避効果のフィールドテストの結果を示すグラフ図である。なお、ここで、縦軸は給水量（％）であり、横軸は対視覚鳥類忌避剤と揮発性対嗅覚鳥類忌避剤の合計添加量である。
【発明を実施するための形態】
【００１７】
本発明の実施の形態に係る鳥類忌避塗料には、「対視覚鳥類忌避剤水分散液が充填されたマイクロカプセル」、「揮発性対臭覚鳥類忌避剤が充填されたマイクロカプセル」、及び「対視覚鳥類忌避剤粉末」のうちの少なくとも「対視覚鳥類忌避剤水分散液が充填されたマイクロカプセル」が含有されている。対視覚鳥類忌避剤水分散液中の対視覚鳥類忌避剤、または、対視覚鳥類忌避剤粉末を構成する対視覚鳥類忌避剤の例としては蛍光増白剤、蛍光増白剤、及び、オニヒトデの乾燥粉末から水により抽出された物質が挙げられる。また、揮発性対臭覚鳥類忌避剤の例としては含硫黄テルペノイドが挙げられる。マイクロカプセル化は塗料製造に先立ち行われる。マイクロカプセルの粒径は塗料の仕上がり及び作業性等から１〜１００ミクロンのものが好ましい。
【００１８】
「揮発性対臭覚鳥類忌避剤が充填されたマイクロカプセル」、「対視覚鳥類忌避剤水分散液が充填されたマイクロカプセル」、及び「対視覚鳥類忌避剤粉体」のうち少なくとも「対視覚鳥類忌避剤水分散液が充填されたマイクロカプセル」を水性の樹脂ビヒクルに配合させた塗料を作製し必要場所に塗装する。
【００１９】
本発明の実施の形態に係る揮発性対臭覚鳥類忌避剤としては、たとえば含硫黄テルペノイド及び含硫黄・含酸素ヘテロ環化合物及びルバフラン、シンナミルニトリル、ベルトアセタールなどがあげられる。これらは長期にその効果を持続させるためマイクロカプセルに封入されて徐放させる。
【００２０】
本発明の実施の形態に係る対視覚鳥類忌避剤としては、蛍光増白剤や、蛍光蛋白質、オニヒトデ粉末の水抽出物などがあげられる。蛍光増白剤は水に分散したものをマイクロカプセルに封入することも粉末で利用することも可能である。
【００２１】
【化１】
0006347355.tif 000002
【００２２】
【化２】
0006347355.tif 000003
【００２３】
【化３】
0006347355.tif 000004
【００２４】
【化４】
0006347355.tif 000005
【００２５】
本発明の実施の形態に係る鳥類忌避塗料は、上記のような「対視覚鳥類忌避剤水分散液が充填されたマイクロカプセル」、「揮発性対臭覚鳥類忌避剤が充填されたマイクロカプセル」、及び「対視覚鳥類忌避剤粉末」のうちの少なくとも「対視覚鳥類忌避剤水分散液が充填されたマイクロカプセル」に加えて、さらに、鳥類を除く小動物を狙う禽獣類対策として小動物の侵入を防ぐ小動物忌避剤を含有することが好ましい。猛禽類が飛来してくる要因の一つである食餌としての小動物の侵入を防ぐ小動物忌避剤としては次のようなものが挙げられる。メントール、リモネン、リナロール、ミトラール、ジエチルトリアミド、カプサイシン、ステモン、ジヒドロベンゾール、２−イソプロピルー５メチルフェノールや天然油のハッカ油、ゼラニウム油、ユーカリ油、ヒバ油、ニンニク油、竹酢等である。
【００２６】
鳥類忌避剤の塗料中での配合比率は、鳥類忌避効果及び塗料としての性能たとえば付着性、耐久性を検討した結果、塗料不揮発分を１００％とすると、対視覚鳥類忌避剤と揮発性対臭覚鳥類忌避剤との合計、又は対視覚鳥類忌避剤と揮発性対臭覚鳥類忌避剤と小動物忌避剤の合計の割合は０．１〜２０％（重量）が最適な配合比率である。
【００２７】
本発明の実施の形態に係る鳥類忌避塗料では、液状の揮発性対臭覚鳥類忌避剤をマイクロカプセルに封入し、安定化させてなおかつその揮発性対臭覚鳥類忌避剤の揮発に徐放性を与えることが好ましい。また塗膜に通気性の効果を与えると共に、揮発性対臭覚鳥類忌避剤を揮発しやすくさせるコロイダルシリカを水性の樹脂ビヒクルに配合することが好ましい。
【００２８】
対視覚鳥類忌避剤水分散液および揮発性対臭覚鳥類忌避剤は塗料製造前にマイクロカプセルに封入されることが好ましい。封入方法の一例はマイクロカプセルと、対視覚鳥類忌避剤水分散液または揮発性対臭覚鳥類忌避剤とを攪拌機により分散させて１日静置させる。その後、濾過して対視覚鳥類忌避剤水分散液または揮発性対臭覚鳥類忌避剤が封入されたマイクロカプセルを取り出す方法である。マイクロカプセルの成分は合成樹脂系ではシリコン系、ウレタン系などがあり無機系ではガラスやセラミックなどがある。またこの塗料に利用できるマイクロカプセルの直径は０．１〜１００ミクロンのものが好ましい。
【００２９】
塗料用樹脂はいずれも水系エマルジョンか水溶性のもので例えばアクリル系、シリコン系、ウレタン系、フッ素系などで、いずれも屋外耐候性、付着性に優れた合成樹脂のものを使用する。
【００３０】
塗料化には各種塗料用添加剤、例えば消泡剤、造膜助剤、粘度調整剤、ｐＨ調整剤などが用いられる。顔料は鳥類忌避剤の効果を阻害するため使用しないことが好ましい。また塗膜中から適度に揮発性対臭覚鳥類忌避剤が揮発するようにするためにコロイダルシリカを配合することが好ましい。コロイダルシリカは塗膜に通気性を与える添加剤として本発明においては重要な材料である。
【００３１】
塗料中のすべての鳥類忌避剤の添加量は塗料の不揮発分１００％に対し０．１〜２０％とすることが好ましい。少ないと鳥類忌避効果に劣り、多いと塗膜物性たとえば耐水性、作業性、耐候性等に問題が生じる。さらに好ましくは８〜１０％である。なお、塗膜の吸水量は少ないほど良く一般的には２％以下が好ましい。
【００３２】
この鳥類忌避塗料は鳥類の侵入により各種の損害を被る箇所に塗装される。長期に鳥類忌避効果を持続するためには一般の塗料としての性能の確立が必須である。塗装下地、施工時の気象など考慮すべき事項である。施工場所はマンションなどの生活建築構造物、空港などの土木構造物、駅舎などの公的建築物などがあり、塗装下地も鉄部、コンクリート部、アスファルト、アルミ部分、木部などがある。この塗料にはそれぞれの下地に適応した下塗り剤と塗装システムが確立されている。この塗装工法と鳥類忌避塗料により長期に鳥類忌避効果が持続可能である。
【実施例】
【００３３】
対視覚鳥類忌避剤水分散液または揮発性対臭覚鳥類忌避剤はマイクロカプセルに充填して配合し、猛禽類の侵入の解決方法としては間接的な効果を利用して小動物忌避剤を各配合した塗料を作製した。いずれの忌避剤も天然物系または既に社会で使用されている安全性の高いものを採用した。また揮発性対臭覚鳥類忌避剤を塗膜から安定して揮発されるよう、塗膜に通気性を与えることができるコロイダルシリカを鳥類忌避塗料に配合した。
【００３４】
本発明の実施の形態に係る鳥類忌避塗料は特に視覚にストレスを感じるカラスなどの鳥の特徴を研究した鳥類全般に優れた忌避性のある塗料として処方される。塗料は、施工作業性に優れ、環境に優しい安全性の高い。人が接触する機会があるマンションなどの建造物、駅舎など多様な場所にも使用できることを目標にした。また空港における飛行機へのバードストライカー対策としても有効な手段である。また塗料であるためあらゆる下地にも対応することができる。たとえば鉄部、アスファルト部、古い塗膜などはそれぞれの専用の下塗り材で対応することができる。
【００３５】
本発明の実施の形態に係る鳥類忌避剤のマイクロカプセル封入方法は下記のような方法である。
（１）オニヒトデ系の場合はまずオニヒトデ粉末をタンクに入れた水に１〜５０％配合し防腐剤を添加する。
その後攪拌機（１００〜２０００ＲＰＭ）で１〜２時間混合し、一昼夜静置する。その後再度撹拌しオニヒトデ粉末を濾過し、オニヒトデ液を分離したものを使用する。
（２）蛍光増白剤の場合は水に対し１〜５０％配合しその後攪拌機（１００〜２０００ＲＰＭ）で分散したものを使用する。
（３）含硫黄テルペノイドの場合は液状のため直接利用する。
（４）次にそれらの液状の鳥類忌避剤のマイクロカプセル化の方法であるが忌避剤／マイクロカプセルの比を１／１〜３／１の範囲で配合し低速（約１００ＲＰＭ）で撹拌した後、一昼夜静置後、濾過し忌避剤が封入されたマイクロカプセルを分離する。
【００３６】
実施例では、臭覚による忌避剤及び視覚による忌避剤のそれぞれの単体又は臭覚によるもの一つと視覚によるもの一つ又は二つを塗料に配合してフィールドテストを行った。そのうち良好なものを実際の現場で試験施工をおこない、その効果を確認した。
【００３７】
【表１】
0006347355.tif 000006
【００３８】
鳩に対する忌避効果のフィールドテスト
大阪市内の某神社において実施例に係る鳥類忌避塗膜の鳩に対する忌避効果を評価した。３０ｃｍ角のベニヤ板にそれぞれ１〜６の塗料を塗装（塗布量１５０ｇ／ｍ２／２回）し乾燥後、それぞれ２枚のベニヤ板を合計１２枚ランダムに公園に設置する。その後、試験する板に生の米粒および食用ピ−ナッツを散布し摂食の挙動を観察した。観察回数は日を替えて３回（ベニヤ板の設置場所もそのつど変更する）行いそれらの合計で鳥類忌避効果を確認した。鳥類忌避効果の採点は以下の基準による。
【００３９】
◎効果大（まったく寄り付かない）
○効果あり（寄り付くものもいるが摂食はしない）
△効果ややあり（寄り付くものもおり摂食する）
×効果なし（寄り付き、すべて摂食する）
【００４０】
【表２】
0006347355.tif 000007
【００４１】
カラスに対する忌避効果のフィールドテスト
生活ゴミが置かれる周辺として大阪市内の某公園を選択し実施例に係る鳥類忌避剤の効果を評価した。
【００４２】
【表３】
0006347355.tif 000008
【００４３】
現場施工例：大阪市内の某電鉄駅舎
天井鉄部に鳩が止まりプラットホームにいる乗客に糞害の報告がある駅において、実施例１の塗料を塗装した。
＜結果＞電鉄側から鳩対策の効果が絶大であったいう報告を受けた。
その後、電鉄側からは鳩公害用として複数の駅に採用されたとの報告を受けた。
【００４４】
現場施工例：奈良県某ニュータウン
週２回の家庭用生ごみ収集日においてゴミを漁るカラスの被害が必ずある地域において実施した。事前に鳥防御用ポリエステルネット（商品名；バードストッパーネットタイプ２５ミリ目黄色）に実施例５、７の塗料を塗装したものを評価した。生ごみ袋に無塗装ネット、塗装ネットをかぶせたものとネットなしのものとを比較した。
【００４５】
【表４】
0006347355.tif 000009
【００４６】
鳥類忌避塗料中の忌避剤配合量
忌避剤のＡ．含硫黄テルペン、Ｂ．オニヒトデ水抽出液はいずれも液状のため塗料中では可塑剤的に挙動することが考えられること、また高価な材料のため経済的な側面の両面から塗料中での添加量を考察した。
固形分４０％の水性シリコン塗料にそれぞれの忌避剤を０、３，５，１０，２０％混合しその耐水性を検討した。忌避剤はマイクロカプセル化される前のものを使用した。試験ではガラス板に１０ミルのアプリケーターで塗料を塗り７日間乾燥したものを供試体とした。その後水に５時間浸漬し取り出し後、塗膜を観察した。
【００４７】
【表５】
0006347355.tif 000010
【００４８】
マイクロカプセルの効果
マイクロカプセルに鳥類忌避剤を封入する効果を確認した。Ａ．封入マイクロカプセル（重量でマイクロカルセル３部に対して忌避剤５部を試験前に作製）を塗料に配合する。Ｂ；忌避剤を塗料中に直接５部配送する。それらの塗料をあらかじめ下塗りが塗装されたスレート板に１５０ｇ／ｍ２塗り付け７日乾燥し促進耐候試験機、サンシャインウエザオメーターに３００時間（約、屋外暴露１年分）暴露する。その後マイクロカプセルの効果を確認した。マイクロカプセルの粒径は１００μのものを使用した。
＜忌避剤が含硫黄テルペノイデの場合＞
５人による臭覚官能試験による
【００４９】
【表６】
0006347355.tif 000011
直接、忌避剤を配合する場合は塗料中の成分に吸着したり反応したりして忌避効果が落ちることと暴露による水や熱で揮発することがマイクロカプセルに守られているＡに比べＢは多いと考えられる。
＜忌避剤がオニヒトデ溶液＞
ブラックライトによる光の強さ
【００５０】
【表７】
0006347355.tif 000012
直接、忌避剤を配合する場合は塗料中の成分に吸着したり反応したりして効果が落ちることと暴露による水や熱で揮発することがマイクロカプセルに守られているＡに比べＢは多いと考えられる。
【産業上の利用可能性】
【００５１】
本発明に係る鳥類忌避塗料は、鳥類、特にカラスによる被害を防止する塗料であって、塗料という性質上、素地の形状、素材に関わらず容易に施工、設置できるものであり、その産業上の利用範囲は広い。たとえばカラスについては生活ゴミの散在被害防止、飛行機へのバードストライク防止、騒音防止等が挙げられる。
【符号の説明】
【００５２】
ＥＨ      オニヒトデ抽出液
ＦＤ      蛍光増白剤の水分散液
ＦＬ      鳥類忌避塗料
ＦＰ      鉄部
ＭＣ      マイクロカプセル
ＭＥ      オニヒトデ抽出液含有マイクロカプセル
ＭＦ      蛍光増白剤水分散液含有マイクロカプセル
ＭＳ      含硫黄テルペノイド含有マイクロカプセル
ＰＲ      プライマー
ＰＷ      蛍光増白剤粉体
ＳＡ      小動物忌避剤
ＳＴ      含硫黄テルペノイド
ＷＲ      水溶性合成樹脂
【図１】
0006347355.tif 000013
【図２】
0006347355.tif 000014
【図３】
0006347355.tif 000015
【図４】
0006347355.tif 000016
【図５】
0006347355.tif 000017
【図６】
0006347355.tif 000018
【図７】
0006347355.tif 000019